(57)【要約】【課題】文字列により表記された複数の電話番号を、効率よく変換することのできる電話番号変換装置および複合機を提供すること。【解決手段】第一変換テーブル１４１および第二変換テーブル１４２を記憶するテーブル記憶部１４０と、電話番号を示す文字列を含む入力情報を取得する取得部１１０と、文字列に対応するルールを特定する特定部１２０と、第一変換テーブル１４１および第二変換テーブル１４２のうち、特定部１２０により特定されたルールに対応する一方を選択する選択部１３０と、選択部１３０により選択された、第一変換テーブル１４１および第二変換テーブル１４２のうちの一方を用いて文字列を変換することで、電話番号を示す数字列を生成する変換部１５０と、変換部１５０により生成された数字列を出力する出力部１６０とを備える。【選択図】図３
2011211633.tif 000002
【特許請求の範囲】
【請求項１】
所定のルールに従って文字と数字とが対応付けられた第一変換テーブル、および、前記所定のルールとは異なるルールに従って文字と数字とが対応付けられた第二変換テーブルを記憶するテーブル記憶部と、
電話番号を示す文字列を含む入力情報を取得する取得部と、
前記文字列に対応するルールを特定する特定部と、
前記第一変換テーブルおよび前記第二変換テーブルのうち、前記特定部により特定されたルールに対応する一方を選択する選択部と、
前記選択部により選択された、前記第一変換テーブルおよび前記第二変換テーブルのうちの一方を用いて前記文字列を数字列に変換することで、前記電話番号を示す前記数字列を生成する変換部と、
前記変換部により生成された前記数字列を出力する出力部と
を備える電話番号変換装置。
【請求項２】
前記第一変換テーブルでは、所定の文字種に属する文字と数字とが対応付けられており、
前記第二変換テーブルは、前記所定の文字種とは異なる文字種に属する文字と数字とが対応付けられており、
前記特定部は、前記入力情報から、前記文字列に対応する文字種を特定することで、前記文字列に対応するルールを特定し、
前記選択部は、前記第一変換テーブルおよび前記第二変換テーブルのうち、前記特定部により特定された文字種に対応する一方を選択する
請求項１記載の電話番号変換装置。
【請求項３】
さらに、
前記変換部により生成された前記数字列を記憶する宛先情報記憶部と、
前記電話番号を示す前記数字列の要求を受け付ける要求受付部とを備え、
前記出力部は、前記要求受付部により前記数字列の要求が受け付けられた場合、前記宛先情報記憶部に記憶されている前記数字列を読み出して出力する
請求項１または２に記載の電話番号変換装置。
【請求項４】
前記宛先情報記憶部はさらに、前記文字列を前記数字列と対応付けて記憶し、
前記出力部は、前記数字列を出力する場合、前記数字列とともに前記文字列を前記宛先情報記憶部から読み出して出力する
請求項３記載の電話番号変換装置。
【請求項５】
さらに、
前記文字列を記憶する宛先情報記憶部と、
前記電話番号を示す前記数字列の要求を受け付ける要求受付部とを備え、
前記変換部は、前記要求受付部により前記数字列の要求が受け付けられた場合、前記宛先情報記憶部から前記文字列を読み出し、読み出した前記文字列を、前記選択部により選択された、前記第一変換テーブルおよび前記第二変換テーブルのうちの一方を用いて変換することで前記数字列を生成する
請求項１または２に記載の電話番号変換装置。
【請求項６】
前記宛先情報記憶部はさらに、前記変換部により生成された前記数字列を前記文字列と対応付けて記憶する
請求項５記載の電話番号変換装置。
【請求項７】
前記取得部は、原稿を光学的に読み取ることにより原稿データを生成する原稿読取部から前記原稿データを受信し、受信した原稿データに対し文字認識処理をすることで前記入力情報を取得する
請求項１〜６のいずれか１項に記載の電話番号変換装置。
【請求項８】
前記取得部は、ユーザによる情報の入力を受け付けるユーザインタフェース部から前記入力情報を取得する
請求項１〜６のいずれか１項に記載の電話番号変換装置。
【請求項９】
電話番号を示す文字列を含む入力情報を取得する取得部と、
記文字列に対応する言語種を特定する特定部と、
前記特定部により特定された言語種に基づいて、前記文字列を数字列に変換する変換部と、
前記変換部により得られる前記数字列を電話番号として出力する出力部と
を備える電話番号変換装置。
【請求項１０】
請求項１〜９のいずれか１項に記載の電話番号変換装置と、
前記出力部から出力される前記数字列を用いて、前記数字列に示される電話番号が付与された相手先装置と通信する通信部と
を備える複合機。
【請求項１１】
請求項１〜９のいずれか１項に記載の電話番号変換装置と、
前記出力部から出力される前記数字列とともに前記文字列を印刷する印刷部と
を備える複合機。
【請求項１２】
請求項１〜９のいずれか１項に記載の電話番号変換装置と、
前記出力部から出力される前記数字列とともに前記文字列を表示する表示部と
を備える複合機。
【発明の詳細な説明】
【技術分野】
【０００１】
本発明は、入力された情報を電話番号に変換する電話番号変換装置および電話番号変換装置を備える複合機に関する。
【背景技術】
【０００２】
近年、省スペース化を指向して、プリンタ機能、スキャナ機能、ファクシミリ通信機能、およびネットワーク通信機能などを一台で兼ね備えた画像処理装置であるネットワーク複合機（以下、単に「複合機」という。）の普及が進んでいる。
【０００３】
また、このような複合機等で、ファクシミリ送信または音声通信のために電話をかける際のユーザの利便性を向上させるために、電話番号が文字列で表示されている場合がある。
【０００４】
具体的には、電話番号を示す数字列の少なくとも一部の数字を所定のルールに従って文字に置き換え、これにより得られた文字列が当該電話番号の表示に用いられる。
【０００５】
例えば、アメリカ等においては、電話機の２〜９の数字キーのそれぞれに、３つまたは４つのアルファベットが割り当てられており、例えば「１−６６３」という電話番号は「１−ＯＮＥ」という文字列で表される。
【０００６】
つまり、ユーザは、「１−６６３」という数字列の代わりに「１−ＯＮＥ」という文字列を記憶する。ユーザはさらに、「１」と表記された数字キーに加え、「Ｏ」「Ｎ」「Ｅ」のそれぞれが表記された３つの数字キーを押す。このようにして、ユーザは「１−６６３」という数字列を意識することなく、当該数字列に対応する宛先に電話をかけることができる。
【０００７】
このような数字と文字との対応関係を利用した、電話番号に関する技術も開示されている（例えば、特許文献１参照）。
【０００８】
特許文献１記載の技術によれば、電話番号に含まれる各数字に割り当てられた複数のアルファベットを選択的に組み合わせることで、意味のあるアルファベットの文字列に変換する。
【０００９】
これにより、数字列で示される電話番号を、ユーザにとって覚えやすい文字列に変換することができる。
【先行技術文献】
【特許文献】
【００１０】
【特許文献１】特開平８−６３４３９号公報
【発明の概要】
【発明が解決しようとする課題】
【００１１】
ここで、複合機などの、電話機能（ファクシミリ通信機能を含む）を備える機器（以下、「電話通信機器」という。）には、一般に、電話番号（ファクシミリ送信の宛先となる番号も含む、以下同じ）を含む相手先の情報である宛先情報を記憶する機能を有している。なお、このような宛先情報は、「電話帳」とも呼ばれる。
【００１２】
例えば、取引先の企業の従業員から名刺を受け取ったユーザは、電話通信機器の複数の数字キーの中から、当該名刺に表記された電話番号に対応する数字キーを順次押下する。これにより、当該名刺に表記された電話番号を宛先情報に登録することができる。
【００１３】
ユーザは、このようにして電話通信機器に登録した宛先情報を利用することで、簡単に、所望の相手先にファクシミリ送信または音声通信のための電話をかけることができる。
【００１４】
しかしながら、従来の電話通信機器では、電話番号が上述のように「ＯＮＥ」などの文字を含む表記である場合、ユーザは、これら文字がどの数字キーに対応するかを考えながら当該電話番号を登録する必要がある。
【００１５】
さらに、文字と数字との対応関係は、ある一種類のルールに従ったものばかりとは限らない。例えば、電話番号の表記に用いられる文字としてアルファベット以外の文字が用いられることも考えられる。
【００１６】
本発明は、上記従来の課題を考慮し、文字列により表記された複数の電話番号を、効率よく変換することのできる電話番号変換装置および複合機を提供することを目的とする。
【課題を解決するための手段】
【００１７】
上記目的を達成するために、本発明の一態様に係る電話番号変換装置は、所定のルールに従って文字と数字とが対応付けられた第一変換テーブル、および、前記所定のルールとは異なるルールに従って文字と数字とが対応付けられた第二変換テーブルを記憶するテーブル記憶部と、電話番号を示す文字列を含む入力情報を取得する取得部と、前記文字列に対応するルールを特定する特定部と、前記第一変換テーブルおよび前記第二変換テーブルのうち、前記特定部により特定されたルールに対応する一方を選択する選択部と、前記選択部により選択された、前記第一変換テーブルおよび前記第二変換テーブルのうちの一方を用いて前記文字列を数字列変換することで、前記電話番号を示す前記数字列を生成する変換部と、前記変換部により生成された前記数字列を出力する出力部とを備える。
【００１８】
この構成により、電話番号を示す文字列を有する入力情報が取得された場合、複数の変換テーブルの中から、当該文字列が決定されたルールに対応する変換テーブルが選択される。
【００１９】
従って、変換対象の複数の文字列が、それぞれ、互いに異なるルールの下で数字列から文字列に変換されたものである場合であっても、これら複数の文字列は、自動的に、実際の電話通信等に用いられる数字列に適切に変換される。
【００２０】
また、本発明の一態様に係る電話番号変換装置において、前記第一変換テーブルでは、所定の文字種に属する文字と数字とが対応付けられており、前記第二変換テーブルは、前記所定の文字種とは異なる文字種に属する文字と数字とが対応付けられており、前記特定部は、前記入力情報から、前記文字列に対応する文字種を特定することで、前記文字列に対応するルールを特定し、前記選択部は、前記第一変換テーブルおよび前記第二変換テーブルのうち、前記特定部により特定された文字種に対応する一方を選択する、としてもよい。
【００２１】
この構成によれば、変換対象の文字列に含まれる文字の種類を特定することで、どの変換テーブルを選択すべきかを容易に特定できる。
【００２２】
また、本発明の一態様に係る電話番号変換装置は、さらに、前記変換部により生成された前記数字列を記憶する宛先情報記憶部と、前記電話番号を示す前記数字列の要求を受け付ける要求受付部とを備え、前記出力部は、前記要求受付部により前記数字列の要求が受け付けられた場合、前記宛先情報記憶部に記憶されている前記数字列を読み出して出力する、としてもよい。
【００２３】
この構成によれば、例えば、ユーザが電話をかける場合など、電話番号を示す数字列が必要な場合に、予め生成され記憶されている数字列が宛先情報記憶部から読み出される。これにより、例えば、ユーザが必要とする電話番号を即座に得ることができる。
【００２４】
また、本発明の一態様に係る電話番号変換装置において、前記宛先情報記憶部はさらに、前記文字列を前記数字列と対応付けて記憶し、前記出力部は、前記数字列を出力する場合、前記数字列とともに前記文字列を前記宛先情報記憶部から読み出して出力する、としてもよい。
【００２５】
この構成によれば、例えば、ユーザが、電話番号変換装置に登録された電話番号を確認したい場合に、ユーザに分かりやすい形式で、表示または印刷等することができる。
【００２６】
また、本発明の一態様に係る電話番号変換装置は、さらに、前記文字列を記憶する宛先情報記憶部と、前記電話番号を示す前記数字列の要求を受け付ける要求受付部とを備え、前記変換部は、前記要求受付部により前記数字列の要求が受け付けられた場合、前記宛先情報記憶部から前記文字列を読み出し、読み出した前記文字列を、前記選択部により選択された、前記第一変換テーブルおよび前記第二変換テーブルのうちの一方を用いて変換することで前記数字列を生成する、としてもよい。
【００２７】
この構成によれば、電話番号を示す文字列を変換せずに記憶しておき、必要に応じて変換し出力することができる。その結果、無駄な変換処理の実行が防止される。
【００２８】
また、本発明の一態様に係る電話番号変換装置において、前記宛先情報記憶部はさらに、前記変換部により生成された前記数字列を前記文字列と対応付けて記憶する、としてもよい。
【００２９】
この構成によれば、変換されずに記憶されていた文字列が、一旦、数字列に変換された場合、この変換により生成された数字列は宛先情報記憶部に記憶される。従って、その後に当該数字列が要求された場合は、即座に当該数字列を出力することができる。
【００３０】
また、本発明の一態様に係る電話番号変換装置において、前記取得部は、原稿を光学的に読み取ることにより原稿データを生成する原稿読取部から前記原稿データを受信し、受信した原稿データに対し文字認識処理をすることで前記入力情報を取得する、としてもよい。
【００３１】
この構成によれば、文字列で表記された電話番号を含む原稿を、電話番号変換装置の外部または内部に設けられた原稿読取部に読み取らせるだけで、当該電話番号を示す数字列を得ることができる。
【００３２】
また、本発明の一態様に係る電話番号変換装置において、前記取得部は、ユーザによる情報の入力を受け付けるユーザインタフェース部から前記入力情報を取得する、としてもよい。
【００３３】
この構成によれば、ユーザが、文字列で表記された電話番号をキーボード等の操作により、電話番号変換装置に入力した場合であっても、当該文字列を適切に数字列に変換することができる。
【００３４】
また、本発明の一態様に係る複合機は、電話番号を示す文字列を含む入力情報を取得する取得部と、記文字列に対応する言語種を特定する特定部と、前記特定部により特定された言語種に基づいて、前記文字列を数字列に変換する変換部と、前記変換部により得られる前記数字列を電話番号として出力する出力部とを備える。
【００３５】
この構成によれば、変換対象の複数の文字列が、それぞれ、互いに異なる言語種の文字列である場合であっても、これら複数の文字列は、自動的に、実際の電話通信等に用いられる電話番号に適切に変換される。
【００３６】
また、本発明の一態様に係る複合機は、上述のいずれかの電話番号変換装置と、前記出力部から出力される前記数字列を用いて、前記数字列に示される電話番号が付与された相手先装置と通信する通信部とを備える。
【００３７】
この構成によれば、電話番号変換装置から出力される、電話番号を示す数字列を使用した電話通信を行うことができる。
【００３８】
また、本発明の一態様に係る複合機は、上述のいずれかの電話番号変換装置と、前記出力部から出力される前記数字列とともに前記文字列を印刷する印刷部とを備える。
【００３９】
この構成によれば、電話番号を示す数字列と、当該数字列の変換前の文字列とが対になって印刷される。そのため、ユーザは、当該複合機に登録された電話番号を分かりやすい形式で確認することができる。
【００４０】
また、本発明の一態様に係る複合機は、上述のいずれかの電話番号変換装置と、前記出力部から出力される前記数字列とともに前記文字列を表示する表示部とを備える。
【００４１】
この構成によれば、電話番号を示す数字列と、当該数字列の変換前の文字列とが対になって表示される。そのため、ユーザは、当該複合機に登録された電話番号を分かりやすい形式で確認することができる。
【発明の効果】
【００４２】
以上の説明から明らかなように、本発明は、文字列により表記された複数の電話番号を、効率よく変換することのできる電話番号変換装置および複合機を提供することができる。
【図面の簡単な説明】
【００４３】
【図１】本発明の実施の形態に係る複合機を含む通信システムの構成の一例を示す図である。
【図２】本発明の実施の形態に係る複合機の主要なハードウェア構成を示すブロック図である。
【図３】本発明の実施の形態に係る電話番号変換装置の基本的な機能構成を示すブロック図である。
【図４】本発明の実施の形態に係る複合機の基本的な機能構成を示すブロック図である。
【図５】本発明の実施の形態に係る２種類の変換テーブルのデータ構成例を示す図である。
【図６】本発明の実施の形態に係る複合機の基本的な処理の流れを示すフローチャートである。
【図７】図６に示す処理の流れを模式的に表す図である。
【図８】本発明の実施の形態に係る操作パネルの構成の概要を示す図である。
【図９】本発明の実施の形態に係る複合機の詳細な処理の流れの一例を示すフローチャートである。
【図１０】本発明の実施の形態に係る複合機１の詳細な処理の流れの別の一例を示すフローチャートである。
【図１１】図１０に示す処理の流れに含まれるダイヤル処理の一例を示すフローチャートである。
【図１２】本発明の実施の形態に係る通信システムによって実行される各種の処理内容を表す概要図である。
【発明を実施するための形態】
【００４４】
以下に、本発明の実施の形態について、図面を参照しながら説明する。
【００４５】
図１は、本発明の実施の形態に係る複合機を含む通信システムの構成の一例を示す図である。
【００４６】
図１に示す通信システムは、複合機１および複合機２と、端末装置３および端末装置４と、Ｐｕｂｌｉｃ  Ｓｗｉｔｃｈｅｄ  Ｔｅｌｅｐｈｏｎｅ  Ｎｅｔｗｏｒｋｓ（ＰＳＴＮ：公衆電話交換回線網）５と、Ｌｏｃａｌ  Ａｒｅａ  Ｎｅｔｗｏｒｋ（ＬＡＮ）６とを含む。
【００４７】
ここで、複合機１は、本発明の実施の形態に係る電話番号変換装置を備える複合機の一例である。複合機１は、ＰＳＴＮ５を介して複合機２と接続され、またＬＡＮ６を介して端末装置３および端末装置４と接続される。
【００４８】
複合機１は、スキャナで読み取った原稿を、例えば、ＰＳＴＮ５を介して複合機２へファクシミリ送信すること、および、ＬＡＮ６を介して端末装置３および端末装置４へ送信することができる。また、複合機１は、スキャナで読み取った原稿を内蔵されるプリンタでプリントアウトすることができる。
【００４９】
図２は、本発明の実施の形態に係る複合機１の主要なハードウェア構成を示すブロック図である。
【００５０】
複合機１は、図２に示すようにＣｅｎｔｒａｌ  Ｐｒｏｃｅｓｓｉｎｇ  Ｕｎｉｔ（ＣＰＵ）１０と、Ｒｅａｄ  Ｏｎｌｙ  Ｍｅｍｏｒｙ（ＲＯＭ）１１と、Ｒａｎｄｏｍ  Ａｃｃｅｓｓ  Ｍｅｍｏｒｙ（ＲＡＭ）１２と、モデム１３と、Ｎｅｔｗｏｒｋ  Ｃｏｎｔｒｏｌ  Ｕｎｉｔ（ＮＣＵ）１４と、操作パネル１５と、ディスプレイ１６と、スキャナ１７と、プリンタ１８と、ＬＡＮ  インタフェース（ＬＡＮ  Ｉ／Ｆ）１９とを備える。
【００５１】
ＣＰＵ１０は、ＲＯＭ１１に格納された制御プログラム２１を実行することにより、複合機１の各種の動作を制御する。
【００５２】
ＲＯＭ１１は、ＣＰＵ１０が実行する制御プログラム２１を保持する読み出し専用メモリである。
【００５３】
ＲＡＭ１２は、ＣＰＵ１０が制御プログラム２１を実行する際に用いられるワークデータ、およびスキャナ１７から得られた原稿データ等を保持する読み書き可能なメモリである。
【００５４】
モデム１３は、ＲＡＭ１２に保持された原稿データ等をファクシミリ信号に変調して送信し、また外部から受信されたファクシミリ信号をラインデータに復調する。モデム１３は、例えばＧ３規格に準拠したファックスモデムである。
【００５５】
ＮＣＵ１４は、モデム１３とＰＳＴＮ５との接続を制御する網制御装置である。
【００５６】
操作パネル１５は、ユーザからの操作を受け付けるパネルである。
【００５７】
ディスプレイ１６は、ユーザへの操作ガイド、および複合機１の動作状態を表示する表示装置である。ディスプレイ１６は、例えばＬｉｑｕｉｔ  Ｃｒｙｓｔａｌ  Ｄｉｓｐｌａｙ（ＬＣＤ：液晶表示装置）である。
【００５８】
なお、ディスプレイ１６として、画面に表示された画像等を押すことで、複合機１を操作することのできるタッチパネルが採用された場合、ディスプレイ１６が、操作パネル１５の全部または一部の機能を兼ねることができる。
【００５９】
スキャナ１７は、画像読み取り装置であり、ＣＰＵ１０の制御下で、Ｃｈａｒｇｅ  Ｃｏｕｐｌｅｄ  Ｄｅｖｉｃｅ  Ｉｍａｇｅ  Ｓｅｎｓｏｒ（ＣＣＤ）を用いて原稿を光学的に読み取ることによって原稿データを生成する。
【００６０】
プリンタ１８は、印刷装置であり、ＣＰＵ１０の制御下で、例えばＲＡＭ１２に保持された原稿データによって表される原稿イメージを紙等の媒体に印刷し出力する。
【００６１】
ＬＡＮ  Ｉ／Ｆ１９は、複合機１とＬＡＮ６とを接続する通信アダプタであり、ＣＰＵ１０の制御下で、例えばＲＡＭ１２に保持された画像データを端末装置３等へ送信する。
【００６２】
Ｈａｒｄ  ｄｉｓｋ  ｄｒｉｖｅ（ＨＤＤ）２０は、スキャナ１７により生成された原稿データ等を蓄積する記憶装置である。なお、ＨＤＤ２０に代えて、フラッシュメモリ等の半導体記憶装置が用いられてもよい。
【００６３】
以上のように構成された複合機１に備えられる電話番号変換装置について、図３を用いて説明する。
【００６４】
図３は、本発明の実施の形態に係る電話番号変換装置１００の基本的な機能構成を示すブロック図である。
【００６５】
電話番号変換装置１００は、取得部１１０と、特定部１２０と、選択部１３０と、テーブル記憶部１４０と、変換部１５０と、出力部１６０とを備える。
【００６６】
テーブル記憶部１４０は、互いに異なるルールに従って文字と数字とが対応付けられた複数の変換テーブルを書き換え可能に記憶する記憶装置である。変換テーブルのデータ構成等については、図５を用いて後述する。
【００６７】
取得部１１０は、電話番号を示す文字列を含む入力情報を取得する処理部である。
【００６８】
特定部１２０は、当該入力情報に含まれる文字列に対応するルールを特定する処理部である。
【００６９】
選択部１３０は、複数の変換テーブルのうち、特定部１２０に特定されたルールに対応する変換テーブルを選択する処理部である。
【００７０】
変換部１５０は、選択部１３０により選択された変換テーブルを用いて当該文字列を数字列に変換することで、電話番号を示す数字列を生成する処理部である。
【００７１】
出力部１６０は、変換部１５０により生成された数字列を出力する処理部である。出力部１６０から出力される数字列、つまり、取得部１１０によって取得された入力情報に示される電話番号は、複合機１による電話通信に用いられる他、印刷、および表示などに用いられる。
【００７２】
なお、取得部１１０、特定部１２０、選択部１３０、変換部１５０、および出力部１６０のそれぞれが行う処理は、例えばＣＰＵ１０が制御プログラム２１を実行することで実現される。また、テーブル記憶部１４０による、変換テーブルを保持する機能は、例えばＨＤＤ２０によって実現される。
【００７３】
このような基本的な機能構成を有する電話番号変換装置１００の、より具体的な機能構成、および、複合機１の基本的な機能構成を、図４を用いて説明する。
【００７４】
図４は、本発明の実施の形態に係る複合機１の基本的な機能構成を示すブロック図である。
【００７５】
複合機１は、電話番号変換装置１００と、原稿読取部１７０と、ユーザインタフェース部１７１と、表示部１８０と、通信部１８１と、印刷部１８２とを備える。
【００７６】
原稿読取部１７０は、原稿を光学的に読み取ることによって、原稿データを生成する処理部である。当該処理は、例えばＣＰＵ１０に制御されるスキャナ１７により実現される。
【００７７】
ユーザインタフェース部１７１は、ユーザからの情報の入力を受け付ける処理部である。当該処理は、例えば、ＣＰＵ１０に制御される操作パネル１５またはディスプレイ１６により実現される。
【００７８】
表示部１８０は、電話番号変換装置１００から出力される文字列および数字列などを表示する処理部である。当該処理は、例えば、ＣＰＵ１０に制御されるディスプレイ１６により実現される。
【００７９】
通信部１８１は、電話番号変換装置１００から出力される数字列を用いて、当該数字列に示される電話番号が付与された相手先装置と通信する処理部である。当該処理は、例えば、ＣＰＵ１０に制御されるモデム１３およびＮＣＵ１４により実現される。
【００８０】
印刷部１８２は、電話番号変換装置１００から出力される文字列および数字列などを印刷示する処理部である。当該処理は、例えば、ＣＰＵ１０に制御されるプリンタ１８により実現される。
【００８１】
また、電話番号変換装置１００は、図４に示すように、図３に示す機能構成に加え、要求受付部１６５と、宛先情報記憶部１４５とを備える。
【００８２】
要求受付部１６５は、電話番号を示す数字列の要求を受け付ける処理部である。例えば、複合機１が、電話番号変換装置１００により取得された入力情報に対応する宛先にファクシミリ送信をする場合に、当該宛先の電話番号を示す数字列の要求が受け付けられる。なお、電話番号を示す数字列の要求は、例えばユーザインタフェース部１７１または通信部１８１から送信され、要求受付部１６５によって受け付けられる。
【００８３】
要求受付部１６５が行う上記処理は、例えばＣＰＵ１０が制御プログラム２１を実行することで実現される。
【００８４】
宛先情報記憶部１４５は、変換部１５０により生成された、電話番号を示す数字列、および、当該数字列の変換前の文字列などの宛先情報を記憶する記憶装置である。宛先情報記憶部１４５による、宛先情報を保持する機能は、例えばＨＤＤ２０によって実現される。
【００８５】
図５は、本発明の実施の形態に係る２種類の変換テーブルのデータ構成例を示す図である。
【００８６】
図５に示す第一変換テーブル１４１は、所定のルールに従って文字と数字とが対応付けられたテーブルである。具体的には、第一変換テーブル１４１では、“２”〜“９”の数字のそれぞれに、３つまたは４つのアルファベットが割り当てられている。
【００８７】
図５に示す第二変換テーブル１４２は、第一変換テーブル１４１におけるルールとは異なるルールに従って、文字と数字とが対応付けられたテーブルである。具体的には、第二変換テーブル１４２では、“１”〜“９”および“０”の数字のそれぞれに、３つから５つの日本語の平仮名が割り当てられている。
【００８８】
なお、図５では、テーブル記憶部１４０に２種類の変換テーブルが記憶されていることが示されている。しかし、テーブル記憶部１４０に３種類以上の変換テーブルが記憶されていてもよい。
【００８９】
次に、図６〜図１２を用いて、上記のように構成された複合機１および電話番号変換装置１００の処理の流れを中心に説明する。
【００９０】
図６は、本発明の実施の形態に係る複合機１の基本的な処理の流れを示すフローチャートである。図６を用いて、複合機１の基本的な処理の流れを説明する。
【００９１】
電話番号変換装置１００の取得部１１０は、電話番号を示す文字列を含む入力情報を取得する（Ｓ１０）。
【００９２】
電話番号変換装置１００の特定部１２０は、入力情報から、入力情報に含まれる、電話番号を示す文字列に対応するルールを特定する（Ｓ１１）。本実施の形態では、特定部１２０は、当該文字列の文字種を特定することで、当該文字列に対応するルールを特定する。
【００９３】
電話番号変換装置１００の選択部１３０は、テーブル記憶部１４０に記憶されている第一変換テーブル１４１および第二変換テーブル１４２のうち、特定部１２０により特定されたルールに対応する一方を選択する（Ｓ１２）。
【００９４】
なお、テーブル記憶部１４０に３種類以上の変換テーブルが記憶されている場合、これら３種類以上の変換テーブルの中から、特定部１２０により特定されたルールに対応する変換テーブルが選択される。
【００９５】
電話番号変換装置１００の変換部１５０は、選択部１３０により選択された第一変換テーブル１４１または第二変換テーブル１４２を用いて、当該文字列を数字列に変換する。これにより、当該文字列に対応する数字列が生成される（Ｓ１３）。
【００９６】
電話番号変換装置１００の出力部１６０は、変換部１５０により生成された数字列を出力する（Ｓ２０）。
【００９７】
出力部１６０から出力された数字列、つまり、電話番号変換装置１００に取得された入力情報に対応する電話番号は、通信部１８１による発呼処理、表示部１８０による表示処理、および、印刷部１８２による印刷処理などに用いられる（Ｓ３０）。
【００９８】
図７は、図６に示す処理の流れを模式的に表す図である。図７を用いて、電話番号変換装置１００の具体的な処理の流れを説明する。
【００９９】
図７に示すように、例えば、英語で表記された名刺が原稿読取部１７０によって読み取られ、当該名刺のデータが入力情報として取得部１１０に取得される。
【０１００】
当該名刺には、図７に示すように、“Ｆａｘ：”に続いて“１２３．ＰＡＴＥＮＴ”が記載されている。つまり、ファクシミリ番号として“１２３．ＰＡＴＥＮＴ”が記載されている。
【０１０１】
取得部１１０は、文字認識処理により、“Ｆａｘ：”の後に記載された“１２３．ＰＡＴＥＮＴ”を、ファクシミリ送信用の電話番号を示す文字列として抽出する。
【０１０２】
特定部１２０は、文字データ“１２３．ＰＡＴＥＮＴ”を含む入力情報を取得部１１０から受け取る。特定部１２０はさらに、“１２３．ＰＡＴＥＮＴ”を解析することで、“１２３．ＰＡＴＥＮＴ”に対応する文字種は、アルファベットであると特定する。
【０１０３】
つまり、本実施の形態では、当該文字列に対応するルールは、図５の第一変換テーブル１４１に示されるように、“Ａ、ＢまたはＣは２に変換し、Ｄ、ＥまたはＦは３に変換し、・・・”というルールであると特定される。
【０１０４】
なお、特定部１２０の上記特定に係る処理は、例えば、ＲＯＭ１１に格納された複数の種類の文字のライブラリをＣＰＵ１０が参照することで実行される。
【０１０５】
選択部１３０は、特定部１２０から、文字種“アルファベット”を示す情報を受け取る。選択部１３０はさらに、第一変換テーブル１４１および第二変換テーブル１４２のうち、文字種“アルファベット”に対応する第一変換テーブル１４１を選択する。
【０１０６】
変換部１５０は、例えば、選択部１３０を介して、第一変換テーブル１４１を取得する。変換部１５０はさらに、文字列“１２３．ＰＡＴＥＮＴ”を、第一変換テーブル１４１を用いて、数字列に変換する。
【０１０７】
具体的には文字列“１２３．ＰＡＴＥＮＴ”に含まれる、“ＰＡＴＥＮＴ”を構成するそれぞれの文字に対応する数字が、第一変換テーブル１４１から読み出される。その結果、数字列“１２３．７２８３６８”が生成される。
【０１０８】
電話番号変換装置１００は、このようにして、図７に示される名刺に記載されたファクシミリ送信用の文字列で示される電話番号を数字列に変換し出力する。
【０１０９】
電話番号変換装置１００から出力された数字列は、上述のように、複合機１によるファクシミリ送信等に用いられる。
【０１１０】
なお、図７では、取得部１１０は、原稿読取部１７０から原稿データを受信し、受信した原稿データに対し文字認識処理をすることで入力情報を取得している。
【０１１１】
しかしながら、取得部１１０は、他の手段により得られた入力情報を取得することもできる。例えば、ユーザからユーザインタフェース部１７１を介して入力される情報を、入力情報として取得することもできる。
【０１１２】
図８は、本発明の実施の形態に係る操作パネル１５の構成の概要を示す図である。
【０１１３】
図８に示すように、操作パネル１５は、数字ボタン群３２２を含む入力部３２０を有する。また、本実施の形態では、操作パネル１５にディスプレイ１６が埋め込まれている。
【０１１４】
さらに、本実施の形態においてユーザインタフェース部１７１の一部として機能するディスプレイ１６は、ソフトウェアキーボード３１１を表示することができる。
【０１１５】
ユーザは、ソフトウェアキーボード３１１に含まれる複数のキーのいずれかを順次押すことで、複合機１に、文字列で表記された電話番号（例えば、上記の“１２３．ＰＡＴＥＮＴ”）等を入力することができる。
【０１１６】
つまり、電話番号変換装置１００は、ソフトウェアキーボード３１１に対するユーザの操作により入力された、電話番号を示す文字列を含む入力情報を取得することができる。
【０１１７】
このようにして取得された入力情報についても、図６および図７に示す処理がなされ、当該入力情報に対応する電話番号を示す数字列が生成される。
【０１１８】
なお、電話番号変換装置１００は、より詳細には、生成した数字列を宛先情報として記憶しておき、その後、必要に応じて記憶した数字列を出力することができる。また、電話番号変換装置１００は、電話番号を示す文字列を変換せずに記憶しておき、ファクシミリ送信等の際に、当該文字列を数字列に変換し出力することもできる。
【０１１９】
まず、図９を用いて、電話番号変換装置１００が、予め生成し記憶した数字列を必要に応じて出力する処理の流れを説明する。
【０１２０】
図９は、本発明の実施の形態に係る複合機１の詳細な処理の流れの一例を示すフローチャートである。
【０１２１】
図９に示すように、複合機１の電話番号変換装置１００は、図６に示す処理の流れと同じく、入力情報の取得から、数字列の生成までを行う（Ｓ１０〜Ｓ１３）。
【０１２２】
その後、変換部１５０は、当該入力情報に含まれる、電話番号を示す文字列と、生成した数字列とを、宛先情報記憶部１４５に記憶させる。具体的には、変換部１５０は、特定部１２０、選択部１３０、および変換部１５０を介して、当該入力情報に含まれる文字列を取得する。変換部１５０はさらに、生成した数字列と、取得した文字列とを対応付けて宛先情報記憶部１４５に記憶させる（Ｓ１４）。
【０１２３】
要求受付部１６５は、数字列の要求を受け付ける（Ｓ１５）。例えば、要求受付部１６５は、ユーザが操作パネル１５を操作することで生成される、当該数字列を宛先とするファクシミリ送信の要求を受信する。
【０１２４】
出力部１６０は、要求受付部１６５が当該数字列の要求を受け付けたことを契機とし、宛先情報記憶部１４５から、当該数字列を読み出す（Ｓ１６）。出力部１６０はさらに、読み出した数字列を出力する（Ｓ２０）。
【０１２５】
出力された数字列は、通信部１８１による発呼処理等に用いられる（Ｓ３０）。
【０１２６】
このように、電話番号変換装置１００は、予め生成し記憶しておいた数字列を、必要に応じて読み出して出力することができる。この場合、例えば、ファクシミリ送信の際に、ファクシミリ送信に係る処理を効率よく実行することができる。
【０１２７】
次に、図１０および図１１を用いて、電話番号変換装置１００が、変換せずに記憶しておいた文字列を必要に応じて変換し出力する処理の流れを説明する。
【０１２８】
図１０は、本発明の実施の形態に係る複合機１の詳細な処理の流れの別の一例を示すフローチャートである。なお、図１０では、複合機１がファクシミリ送信をする際の、文字列から数字列への変換を伴う処理を示している。
【０１２９】
図１０に示すように、複合機１の電話番号変換装置１００は、図６に示す処理の流れと同じく、入力情報の取得（Ｓ１０）および文字種の特定（Ｓ１１）を行う。
【０１３０】
その後、変換部１５０は、特定部１２０および選択部１３０を介して当該入力情報に含まれる、電話番号を示す文字列を取得し、選択部１３０を介して、特定部１２０により特定された文字種を示す情報を取得する。変換部１５０はさらに、取得した文字列と文字種を示す情報とを対応付けて宛先情報記憶部１４５に記憶させる（Ｓ４０）。
【０１３１】
要求受付部１６５は、例えば、ユーザが操作パネル１５を操作することで生成される、当該文字列に示される電話番号を宛先とするファクシミリ送信の要求を受信する。これにより、要求受付部１６５は、当該文字列に対応する数字列の要求を受け付ける（Ｓ４１）。
【０１３２】
変換部１５０は、要求受付部１６５により当該数字列の要求が受け付けられた場合、宛先情報記憶部１４５から当該文字列と文字種を示す情報とを読み出す。変換部１５０はさらに、文字種を示す情報を選択部１３０に送信する。選択部１３０は、当該文字種に対応する変換テーブルを選択し、選択した変換テーブルをテーブル記憶部１４０から読み出して変換部１５０へ渡す（Ｓ４２）。
【０１３３】
なお、当該文字列の文字種は、選択部１３０が予め特定し、宛先情報記憶部１４５に記憶させておくのではなく、選択部１３０が変換部１５０から文字列を受け取った際に特定してもよい。
【０１３４】
その後、変換部１５０による変換処理を含むダイヤル処理が実行される（Ｓ５０）。
【０１３５】
さらに、ダイヤル処理（Ｓ５０）において生成された数字列は、当該文字列に対応付けられて宛先情報記憶部１４５に記憶される。
【０１３６】
図１１は、図１０に示す処理の流れに含まれるダイヤル処理の一例を示すフローチャートである。
【０１３７】
変換部１５０は、宛先情報記憶部１４５から読み出した文字列に未処理の桁があるかを確認する（Ｓ５１）。未処理の桁がある場合（Ｓ５１でＹｅｓ）、その桁が数字か否かが確認される（Ｓ５２）。
【０１３８】
例えば、上述の“１２３．ＰＡＴＥＮＴ”が変換対象である場合、最初の桁は“１”であり、数字であるため（Ｓ５２でＹｅｓ）、“１”が出力部１６０を介して通信部１８１へ送信される。通信部１８１は“１”をダイヤルする（Ｓ５５）。
【０１３９】
その後、“２”、“３”と同様に処理がなされ、その次に“Ｐ”を処理する場合、“Ｐ”は数字ではないため（Ｓ５２でＮｏ）、アルファベットか否かが確認される（Ｓ５３）。なお、このとき、変換対象の文字列における文字種が、例えば“ひらがな”の場合、処理対象の文字がひらがなであるか否かが確認される。
【０１４０】
“Ｐ”はアルファベットであるため（Ｓ５３でＹｅｓ）、変換部１５０は、第一変換テーブル１４１を参照することで、“Ｐ”を“７”に変換する（Ｓ５４）。
【０１４１】
なお、このとき処理対象の文字がアルファベットではなく記号である場合（Ｓ５３でＮｏ）当該記号に対応する処理（例えば、ポーズなど）が実行される（Ｓ５６）。
【０１４２】
以上の処理が、変換対象の文字列の全ての桁に実行されることで、当該文字列に示される電話番号へのダイヤル処理が実行される。
【０１４３】
このように、電話番号変換装置１００は、電話番号を示す文字列を変換せずに記憶しておき、必要に応じて変換し出力することができる。この場合、例えば、実際にファクシミリ送信等に使用される電話番号に対応する文字列のみが、数字列に変更される。そのため、例えば、原稿読取部１７０を用いて大量の名刺を読み込んだ場合などに、無駄な変換処理の実行が防止される。
【０１４４】
また、生成された数字列については、宛先情報記憶部１４５に記憶されるため、この記憶の後に、当該数字列に示される電話番号がファクシミリ送信等で必要になる場合、宛先情報記憶部１４５から当該数字列が読み出される。
【０１４５】
なお、生成された数字列を宛先情報記憶部１４５に記憶せずに、ファクシミリ送信等の処理ごとに当該処理の対象である文字列を変換することで数字列を生成してもよい。また、図１１に示す一連の処理が完了した後に、生成された数字列、つまり電話番号を、宛先情報記憶部１４５に記憶するか否かをユーザに確認してもよい。
【０１４６】
また、図１１では、文字列を一桁ごと処理しているが、文字列の全体を一括して数字列に変換してもよい。
【０１４７】
以上説明したように、本実施の形態に係る電話番号変換装置１００は、電話番号を示す文字列を含む入力情報を取得し、複数の変換テーブルの中から、当該文字列に対応する変換テーブルを選択する。
【０１４８】
電話番号変換装置１００はさらに、選択した変換テーブルを用いて当該文字列を数字列に変換することで、当該電話番号を示す数字列を生成する。また、電話番号変換装置１００は、生成した数字列を出力するとともに、宛先情報記憶部１４５に記憶することができる。
【０１４９】
また、複数の変換テーブルは書き換え可能なテーブル記憶部１４０に記憶される。従って、例えば、複合機１の販売地域またはユーザの要望に応じて、テーブル記憶部１４０に記憶される変換テーブルの種類および内容を変更することができる。
【０１５０】
また、本実施の形態に係る複合機１は、電話番号変換装置１００から出力された数字列を、図１２に示すように、ファクシミリ通信に用いることができるほか、上述のように、表示することおよび印刷することができる。
【０１５１】
図１２は、本発明の実施の形態に係る通信システムによって実行される各種の処理内容を表す概要図である。
【０１５２】
例えば、複合機１は、図７に示す名刺を、原稿読取部１７０を用いて読み取った場合、当該名刺に記載された電話番号を示す文字列等に加え、当該文字列を変換することにより生成された数字列をディスプレイ１６に表示することができる。また、ディスプレイ１６に表示される内容を印刷することもできる。
【０１５３】
これにより、例えば、ユーザが、電話番号変換装置１００に登録された電話番号を確認したい場合に、分かりやすい形式で、ユーザに提示することができる。
【０１５４】
なお、取得部１１０が文字認識処理等により取得した、電話番号を示す文字列に対応するフォントを複合機１が有しない場合、当該文字列を印刷および表示しなくてもよい。これにより、文字化けした文字列をユーザに提示することがない。また、この場合、フォントを用いず、当該文字列を示す画像を、当該文字列に対応する数字列とともに文字列を印刷および表示してもよい。
【０１５５】
また、文字列に対応するフォントを複合機１が有しない場合であっても、例えば、文字認識処理により得られた文字コードは宛先情報記憶部１４５に記憶しておく。これにより、例えば、ＬＡＮ６を介して接続された端末装置３等の他の機器が、当該文字列に対応するフォントを有している場合、当該他の機器に当該文字列を表示させることができる。
【０１５６】
以上、本発明の一態様に係る電話番号変換装置、および、本発明の一態様に係る複合機について、実施の形態に基づいて説明した。しかしながら、本発明は、これらの実施の形態に限定されるものではない。本発明の趣旨を逸脱しない限り、当業者が思いつく各種変形を本実施の形態に施したものも、あるいは、上記説明された複数の構成要素を組み合わせて構築される形態も、本発明の範囲内に含まれる。
【０１５７】
例えば、ユーザは、ユーザインタフェース部１７１からではなく、図１２に示すように、端末装置３からＬＡＮ６経由で、複合機１に宛先情報の登録を行ってもよい。
【０１５８】
また、特定部１２０は、電話番号を示す文字列の文字種を特定することで、当該文字列に対応するルール（文字と数字との対応付けのルール）を特定するとした。
【０１５９】
しかしながら、特定部１２０によるルールの特定方法は、これに限られない。例えば、入力文字に含まれる会社名または住所など他の文字列を解析することで、当該文字列に対応するルールを特定してもよい。
【０１６０】
また、電話番号を示す文字列および住所等から、文字列に対応する国を特定してもよい。例えば、電話番号を示す文字列の最初に、国際電気通信連合により定められた国番号が存在する場合、その国番号から、当該文字列に対応する国を特定できる。
【０１６１】
さらに、当該文字列に対応する国が特定できた場合、その国における、文字と数字との対応付けのルールが特定できる。つまり、その国に対応するルールに従った変換テーブルがテーブル記憶部１４０に記憶されていれば、当該文字列を適切に数字列に変換することができる。
【０１６２】
また、本実施の形態では、電話番号を示す文字列の文字種として、アルファベットおよびひらがなの２種類を例示した。しかしながら、電話番号変換装置１００が変換することのできる文字種は他の文字種であってもよい。
【０１６３】
例えば、ＲＯＭ１１に、英語、ドイツ語、およびフランス語等の複数種類のアルファベットのライブラリを格納しておけば、取得部１１０により、これら複数種類のアルファベットの文字認識処理は可能である。
【０１６４】
また、ソフトウェアキーボード３１１を、複数の文字種の入力が可能なように、ソフトウェアキーボード３１１の表示内容および処理内容を変更できるようにしておけば、ユーザに、様々な文字種の文字列を入力させることもできる。
【０１６５】
さらに、これらの文字種に対応する複数の変換テーブルがテーブル記憶部１４０に記憶されていれば、これらの文字種に属する文字を適切に数字に変換することができる。
【０１６６】
また、文字種が同一であっても、国または地域によって文字と数字の対応付けのルールが異なる場合を想定する。この場合、国または地域ごとのルールに対応する複数の変換テーブルを用意し、テーブル記憶部１４０に格納しておく。さらに、特定部１２０が、入力情報から文字種と国または地域とを特定し、選択部１３０は、特定された文字種と国または地域とに対応する変換テーブルを選択する。
【０１６７】
これにより、同一の文字種を用いる国または地域が複数存在し、かつ、国または地域によって、文字と数字の対応付けのルールが異なる場合においても、電話番号変換装置１００は、変換対象の文字列に適した変換テーブルを選択することができる。つまり、電話番号を示す文字列は適切に数字列に変換される。
【０１６８】
また、特定部１２０は、取得部１１０により取得された入力情報以外の情報から当該入力情報に含まれる文字列に対応するルールを特定してもよい。例えば、取得部１１０が、ユーザにより入力される、言語種または国名等の、当該文字列に対応するルールを特定可能な情報を取得した場合を想定する。この場合、特定部１２０は、ユーザにより入力された、言語種等を示す情報から、当該文字列に対応するルールを特定してもよい。
【０１６９】
また、特定部１２０は、例えば、入力情報に含まれる文字列に対応する言語種を特定し、変換部１５０は、特定された言語種に基づいて当該文字列を数字列に変換してもよい。また、この場合、出力部１６０は、変換部１５０により得られる当該数字列を電話番号として出力すればよい。
【０１７０】
つまり、特定部１２０が、入力情報に含まれる文字列を変換するために必要な情報（当該文字列に対応する言語種、文字種、国名など）を特定する。これにより、変換部１５０は、特定部１２０により特定された情報に基づいて、当該文字列を、電話番号を示す数字列に変換することができる。すなわち、当該文字列は実際の電話通信等に用いられる電話番号に適切に変換される。
【産業上の利用可能性】
【０１７１】
本発明は、複数の電話番号を、効率よく変換することのできる電話番号変換装置および複合機を提供することができる。従って、本発明は、特に、ファクシミリ通信機能等の電話機能を備える複合機等として有用である。
【符号の説明】
【０１７２】
１、２    複合機
３、４    端末装置
５    ＰＳＴＮ
６    ＬＡＮ
１０    ＣＰＵ
１１    ＲＯＭ
１２    ＲＡＭ
１３    モデム
１４    ＮＣＵ
１５    操作パネル
１６    ディスプレイ
１７    スキャナ
１８    プリンタ
１９    ＬＡＮ  Ｉ／Ｆ
２０    ＨＤＤ
２１    制御プログラム
１００    電話番号変換装置
１１０    取得部
１２０    特定部
１３０    選択部
１４０    テーブル記憶部
１４１    第一変換テーブル
１４２    第二変換テーブル
１４５    宛先情報記憶部
１５０    変換部
１６０    出力部
１６５    要求受付部
１７０    原稿読取部
１７１    ユーザインタフェース部
１８０    表示部
１８１    通信部
１８２    印刷部
３１１    ソフトウェアキーボード
３２０    入力部
３２２    数字ボタン群
【図１】
2011211633.tif 000003
【図２】
2011211633.tif 000004
【図３】
2011211633.tif 000005
【図４】
2011211633.tif 000006
【図５】
2011211633.tif 000007
【図６】
2011211633.tif 000008
【図７】
2011211633.tif 000009
【図８】
2011211633.tif 000010
【図９】
2011211633.tif 000011
【図１０】
2011211633.tif 000012
【図１１】
2011211633.tif 000013
【図１２】
2011211633.tif 000014